(57)【特許請求の範囲】
【請求項１】
無線通信システム（ＲＣＳ）内で使用される方法であって、前記無線通信システム（ＲＣＳ）は、少なくとも３つの基地局（ＳＢＳ１、ＭＢＳ１、ＭＢＳ２）を含み、前記少なくとも３つの基地局（ＳＢＳ１、ＭＢＳ１、ＭＢＳ２）のうちの第１の基地局（ＳＢＳ１）は、以降、第１スレーブ基地局と呼ばれ、前記少なくとも３つの基地局（ＭＢＳ１、ＭＢＳ２、ＳＢＳ１）のうちの第２の基地局（ＭＢＳ１）は、以降、第１マスタ基地局と呼ばれ、前記少なくとも３つの基地局（ＳＢＳ１、ＭＢＳ１、ＭＢＳ２）のうちの第３の基地局（ＭＢＳ２）は、以降、第２マスタ基地局と呼ばれ、
前記方法は、前記第１マスタ基地局（ＭＢＳ１）によって前記第１スレーブ基地局（ＳＢＳ１）で無線リソース割当てドメインの第１部分（Ｐ１）を制御するステップを含み、
前記方法は、さらに、前記第２マスタ基地局（ＭＢＳ２）によって前記第１スレーブ基地局（ＳＢＳ１）で前記無線リソース割当てドメインの少なくとも第２部分（Ｐ２）を制御するステップをさらに含むことを特徴とし、
前記無線リソース割当てドメインの前記第１部分（Ｐ１）および前記第２部分（Ｐ２）は、分離される
方法。
【請求項２】
前記無線通信システム（ＲＣＳ）は、ＯＦＤＭＡ無線通信システムである、請求項１に記載の方法。
【請求項３】
前記方法は、
−事前定義の時間間隔に前記部分（Ｐ１、Ｐ２）のうちの１つの第１サイズおよび第１位置を変更するステップ
をさらに含む、請求項１に記載の方法。
【請求項４】
前記無線通信システム（ＲＣＳ）は、運用保守センタ（ＯＭＣ）をさらに含み、前記方法は、
−前記運用保守センタ（ＯＭＣ）によって前記部分（Ｐ１、Ｐ２）の前記第１サイズおよび前記第１位置を決定するステップと、
−前記運用保守センタ（ＯＭＣ）から対応するマスタ基地局（ＭＢＳ１、ＭＢＳ２）に前記部分（Ｐ１、Ｐ２）の前記第１サイズおよび前記第１位置を送信するステップと
をさらに含む、請求項３に記載の方法。
【請求項５】
前記方法は、前記第１マスタ基地局（ＭＢＳ１）と前記第２マスタ基地局（ＭＢＳ２）との間で前記第１部分（Ｐ１）の前記第１サイズおよび前記第１位置ならびに前記少なくとも第２部分（Ｐ２）の第２サイズおよび第２位置を調整するステップをさらに含む、請求項３に記載の方法。
【請求項６】
前記無線通信システム（ＲＣＳ）は、少なくとも１つの移動局（ＭＳ１）をさらに含み、第１ダウンリンク・フレーム（ＤＦ１）は、前記第１部分（Ｐ１）および前記少なくとも第２部分（Ｐ２）と共に前記無線リソース割当てドメインを含み、前記方法は、
−前記マスタ基地局（ＭＢＳ１、ＭＢＳ２）のうちの１つでダウンリンク・データ（ＤＤ１、ＤＤ１＿１、ＤＤ２）を受信するステップと、
−前記マスタ基地局（ＭＢＳ１、ＭＢＳ２）のうちの前記１つで前記部分（Ｐ１、Ｐ２）のうちの１つにマッピングされる前記ダウンリンク・データ（ＤＤ１、ＤＤ１＿１、ＤＤ２）のフレーム・レイアウト（ＦＬ１、ＦＬ２）を決定するステップと、
−前記マスタ基地局（ＭＢＳ１、ＭＢＳ２）のうちの前記１つから前記第１スレーブ基地局（ＳＢＳ１）へ前記フレーム・レイアウト（ＦＬ１、ＦＬ２）を送信するステップと、
−前記第１スレーブ基地局（ＳＢＳ１）で前記ダウンリンク・データ（ＤＤ１、ＤＤ１＿１、ＤＤ２）を受信するステップと、
−前記第１スレーブ基地局（ＳＢＳ１）で前記フレーム・レイアウト（ＦＬ１、ＦＬ２）に従って第１ダウンリンク・フレーム（ＤＦ１）の前記部分（Ｐ１、Ｐ２）のうちの１つに前記ダウンリンク・データ（ＤＤ１、ＤＤ１＿１、ＤＤ２）をスケジューリングするステップと、
−前記第１スレーブ基地局（ＳＢＳ１）から前記少なくとも１つの移動局（ＭＳ１）に前記第１ダウンリンク・フレーム（ＤＦ１）を送信するステップと
をさらに含む、請求項１に記載の方法。
【請求項７】
前記方法は、前記マスタ基地局（ＭＢＳ１、ＭＢＳ２）のうちの前記１つから前記第１スレーブ基地局（ＳＢＳ１）へのハード・ハンドオーバーに使用される、請求項６に記載の方法。
【請求項８】
前記フレーム・レイアウト（ＦＬ１、ＦＬ２）は、前記部分（Ｐ１、Ｐ２）の副部分であり、前記方法は、前記第１スレーブ基地局（ＳＢＳ１）によって前記フレーム・レイアウト（ＦＬ１、ＦＬ２）の外部の前記部分（Ｐ１、Ｐ２）の無線リソースを制御するステップをさらに含む、請求項６に記載の方法。
【請求項９】
前記無線通信システム（ＲＣＳ）は、少なくとも第２スレーブ基地局（ＳＢＳ２）をさらに含み、
前記フレーム・レイアウト（ＦＬ１、ＦＬ２）は、前記マスタ基地局（ＭＢＳ１、ＭＢＳ２）のうちの前記１つからマルチキャスト伝送によって前記第１スレーブ基地局（ＳＢＳ１）および前記少なくとも第２スレーブ基地局（ＳＢＳ２）に送信される
請求項６に記載の方法。
【請求項１０】
前記方法は、少なくとも２つの基地局（ＳＢＳ１、ＭＢＳ１、ＭＢＳ２）から前記少なくとも１つの移動局（ＭＳ１）へのマルチキャスト伝送に使用され、前記方法は、
−前記マスタ基地局（ＭＢＳ１、ＭＢＳ２）のうちの前記１つで前記フレーム・レイアウト（ＦＬ１、ＦＬ２）に従って第２ダウンリンク・フレーム（ＤＦ２、ＤＦ３）の前記部分（Ｐ１、Ｐ２）のうちの１つに前記ダウンリンク・データ（ＤＤ１、ＤＤ２）をスケジューリングするステップと、
−前記マスタ基地局（ＭＢＳ１、ＭＢＳ２）のうちの前記１つから前記少なくとも１つの移動局（ＭＳ１）へ前記第２ダウンリンク・フレーム（ＤＦ２、ＤＦ３）を送信するステップと
をさらに含み、前記部分（Ｐ１、Ｐ２）は、前記第１ダウンリンク・フレーム（ＤＦ１）および前記第２ダウンリンク・フレーム（ＤＦ２、ＤＦ３）の同一の領域内に配置され、前記第１ダウンリンク・フレーム（ＤＦ１）および前記第２ダウンリンク・フレーム（ＤＦ２、ＤＦ３）は、事前定義の時刻に同期化されて送信される、請求項６に記載の方法。
【請求項１１】
前記マスタ基地局（ＭＢＳ１、ＭＢＳ２）のうちの少なくとも１つおよび前記第１スレーブ基地局（ＳＢＳ１）は、前記少なくとも１つの移動局（ＭＳ１）へ協調ＭＩＭＯモードまたはｃｏｌｌａｂｏｒａｔｉｖｅ  ＭＩＳＯモードで送信する、請求項１０に記載の方法。
【請求項１２】
少なくとも３つの基地局（ＳＢＳ１、ＭＢＳ１、ＭＢＳ２）を含む無線通信システム（ＲＣＳ）であって、前記少なくとも３つの基地局（ＳＢＳ１、ＭＢＳ１、ＭＢＳ２）のうちの第１の基地局（ＳＢＳ１）は、以降、第１スレーブ基地局と呼ばれ、前記少なくとも３つの基地局（ＳＢＳ１、ＭＢＳ１、ＭＢＳ２）のうちの第２の基地局（ＭＢＳ１）は、以降、第１マスタ基地局と呼ばれ、前記少なくとも３つの基地局（ＳＢＳ１、ＭＢＳ１、ＭＢＳ２）のうちの第３の基地局（ＭＢＳ２）は、以降、第２マスタ基地局と呼ばれ、前記無線通信システム（ＲＣＳ）は、前記第１マスタ基地局（ＭＢＳ１）によって前記第１スレーブ基地局（ＳＢＳ１）で無線リソース割当てドメインの第１部分（Ｐ１）を制御する手段を含み、
前記無線通信システム（ＲＣＳ）は、前記第２マスタ基地局（ＭＢＳ２）によって前記第１スレーブ基地局（ＳＢＳ１）で前記無線リソース割当てドメインの少なくとも第２部分（Ｐ２）を制御する手段をさらに含むことを特徴とし、
前記無線リソース割当てドメインの前記第１部分（Ｐ１）および前記少なくとも第２部分（Ｐ２）は、分離される
無線通信システム（ＲＣＳ）。
【請求項１３】
前記第１スレーブ基地局（ＳＢＳ１）の第１無線セル（Ｃ１）は、前記第１マスタ基地局（ＭＢＳ１）の第２無線セル（Ｃ２）および前記第２マスタ基地局（ＭＢＳ２）の第３無線セル（Ｃ３）と隣接する、請求項１２に記載の無線通信システム（ＲＣＳ）。
【請求項１４】
前記無線通信システム（ＲＣＳ）は、
−前記マスタ基地局（ＭＢＳ１、ＭＢＳ２）のうちの１つでダウンリンク・データ（ＤＤ１、ＤＤ１＿１、ＤＤ２）を受信する手段と、
−前記マスタ基地局（ＭＢＳ１、ＭＢＳ２）のうちの前記１つで前記部分（Ｐ１、Ｐ２）のうちの１つにマッピングされる前記ダウンリンク・データ（ＤＤ１、ＤＤ１＿１、ＤＤ２）のフレーム・レイアウト（ＦＬ１、ＦＬ２）を決定する手段と、
−前記マスタ基地局（ＭＢＳ１、ＭＢＳ２）のうちの前記１つから前記第１スレーブ基地局（ＳＢＳ１）へファイバ・ベースの接続またはワイヤ・ベースの接続（ＣＯＮ１、ＣＯＮ２）を介して前記フレーム・レイアウト（ＦＬ１、ＦＬ２）を送信する手段と
を含む、請求項１３に記載の無線通信システム（ＲＣＳ）。
【請求項１５】
基地局（ＭＢＳ１）であって、前記基地局（ＭＢＳ１）はマスタ基地局と呼ばれ、スレーブ基地局（ＳＢＳ１）において無線リソース割当てドメインの第１部分（Ｐ１）を制御する手段を含み、
前記マスタ基地局（ＭＢＳ１）は、
−前記無線リソース割当てドメインの前記第１部分（Ｐ１）および少なくとも第２部分（Ｐ２）を調整する要求を受信する手段と、
−前記無線リソース割当てドメインの前記第１部分（Ｐ１）および前記少なくとも第２部分（Ｐ２）が分離されることの要件、及び前記無線リソース割当てドメインの前記少なくとも第２部分（Ｐ２）は前記スレーブ基地局（ＳＢＳ１）において更なるマスタ基地局（ＭＢＳ２）によって制御されることの要件、に従って前記要求を処理する手段と、
−前記処理の結果を送信する手段と
を含むことを特徴とする、基地局（ＭＢＳ１）。
【発明の詳細な説明】
【技術分野】
【０００１】
本発明は、請求項１のプリアンブルによる無線通信システムで使用される方法、請求項１２のプリアンブルによる無線通信システム、および請求項１５のプリアンブルによる基地局に関する。
【背景技術】
【０００２】
たとえばＩＥＥＥ  ８０２．１６ｅなどの無線通信標準規格では、複数の基地局が、同一の時間基礎（ｔｉｍｅ  ｂａｓｉｓ）に同期化される。基地局は、同期化されたダウンリンク・フレームを、その基地局のカバレージ・エリア内に配置された移動局に送信する。複数の基地局に属するオーバーラップ・エリアでは、隣接基地局の同期化されたダウンリンク・フレームが、リソース・ブロックを含む可能性があり、このリソース・ブロックは、特定の移動局について同一のデータを含む。
【０００３】
送信器および受信器で複数のアンテナを用いる協調ＭＩＭＯ(ＭＩＭＯ＝ｍｕｌｔｉｐｌｅ  ｉｎｐｕｔ  ｍｕｌｔｉｐｌｅ  ｏｕｔｐｕｔ）では、複数の基地局が、同一周波数帯で移動局に無線信号を同時に送信するために、ダウンリンク方向で共同して働く。その形で、各基地局が単一のアンテナだけを有する場合であっても、個々の送信器のデータ・スループットを高めることができる。
【０００４】
特に協調ＭＩＭＯの、データ同期の方法では、ＯＦＤＭＡ無線通信システム（ＯＦＭＤＡ＝直交周波数分割多元接続）は、少なくとも第１および第２の基地局に結合されたネットワーク要素を含む。第１基地局は、マスタ基地局であり、第２基地局は、そのマスタ基地局のスレーブ基地局である。マスタ基地局およびスレーブ基地局は、少なくとも１つの無線端末に結合される。この方法による関連するステップは、マスタ基地局またはスレーブ基地局によって無線端末から協調ＭＩＭＯ接続要求を受信するステップと、マスタ基地局またはスレーブ基地局からネットワーク要素に複製信号を送信するステップであって、複製信号は、無線端末の協調ＩＰフロー（ＩＰ＝インターネット・プロトコル）の複製を示す、送信するステップと、マスタ基地局によって協調ＩＰフローの第１ＩＰパケットを受信し、第１ダウンリンク・フレームの第１部分をスケジューリングするステップと、マスタ基地局からスレーブ基地局にフレーム・レイアウト・メッセージを送信するステップであって、フレーム・レイアウト・メッセージは、第１ダウンリンク・フレームの第１部分に関する記述を含む、送信するステップと、第１ダウンリンク・フレームの第１部分の記述を用いてスレーブ基地局によって第２ダウンリンク・フレームの第２部分をスケジューリングするステップである。
【発明の概要】
【発明が解決しようとする課題】
【０００５】
基地局によってダウンリンク・フレームにデータをスケジューリングする形は、その基地局の総データ・レートに影響する。したがって、本発明の目的は、以降、ダウンリンク・フレーム内の部分と呼ばれる部分を使用して基地局のデータ・スループットを改善することである。
【課題を解決するための手段】
【０００６】
この目的は、無線通信システム内で使用される方法であって、無線通信システムは、少なくとも３つの基地局を含み、少なくとも３つの基地局のうちの第１の基地局は、以降、第１スレーブ基地局と呼ばれ、少なくとも３つの基地局のうちの第２の基地局は、以降、第１マスタ基地局と呼ばれ、少なくとも３つの基地局のうちの第３の基地局は、以降、第２マスタ基地局と呼ばれ、この方法は、第１マスタ基地局によって第１スレーブ基地局で無線リソース割当てドメインの第１部分を制御するステップを含み、この方法は、さらに、第２マスタ基地局によって第１スレーブ基地局で無線リソース割当てドメインの少なくとも第２部分を制御するステップをさらに含み、無線リソース割当てドメインの第１部分および少なくとも第２部分は、分離される、方法によって達成される。
【０００７】
この目的は、無線通信システムに関する独立請求項１２および基地局に関する独立請求項１５によってさらに達成される。
【０００８】
無線アクセス・ネットワークの基地局へのスレーブ機能およびマスタ機能の割当てに依存して、スレーブ基地局を、複数のマスタ基地局の近傍に配置することができる。
【０００９】
さらに、マスタ基地局を、以降、ドメインと呼ばれる基地局のより大きいグループの責任を負うものとすることができる。そのようなドメインの境界にあるスレーブ基地局を、隣接ドメインにも割り当てることができる。これらのスレーブ基地局は、複数のマスタ基地局によって制御される。
【００１０】
本発明による方法は、２つのマスタ基地局がスレーブ基地局の無線リソース割当てドメインの同一部分またはオーバーラップする部分を制御することを望む、スレーブ基地局での状況を回避するための利益を提供する。
【００１１】
もう１つの利益は、スレーブ基地局でのリソースの二重割当ての場合にスレーブ基地局からマスタ基地局に戻ってメッセージをシグナリングすることの回避である。
【００１２】
さらなる利益は、移動局が、１つのダウンリンク・フレーム内で異なる協調ＭＩＭＯドメインに属する別々のデータ・フローのデータ単位を受信できることである。
【００１３】
第１部分および第２部分のパラメータ、たとえば、無線リソース割当てドメイン内のサイズ、形、または位置を、ＯＭＣ（ＯＭＣ＝運用保守センタ）によって決定することができ、これらを、かかわるマスタ基地局の間で直接に調整することができ、あるいは、たとえば自己構成に基づくものなどの他の機構を使用することができる。
【００１４】
第１部分および第２部分のフレーム・レイアウトを担持するメッセージを使用することによって、マスタ基地局からスレーブ基地局への一方向シグナリング・メッセージだけが必要になる。さらに、複数の基地局シグナリング・リソースへのマルチキャスト伝送でフレーム・レイアウトを担持するメッセージを送信することを、さらに減らすことができる。
【００１５】
本発明を、マスタ基地局からスレーブ基地局へのまたは逆方向でのハード・ハンドオーバーをパケット転送の遅延なしで実行しなければならない時に、正確な時点でトリガするのに使用することもできる。
【００１６】
本発明のさらなる有利な特徴は、方法に関する従属請求項によって定義される。
【００１７】
本発明の実施形態は、次の詳細な説明で明白になり、非限定的な例示として与えられる添付図面によって示される。
【図面の簡単な説明】
【００１８】
【図１】本発明の第１および第２の実施形態による方法を実行する無線通信ネットワークを示すブロック図である。
【図２】本発明の第１および第２の実施形態による方法を実行するためのダウンリンク・フレームを示すブロック図である。
【図３】本発明の第１実施形態による方法を示す流れ図である。
【図４】本発明の第２実施形態による方法を示す流れ図である。
【図５】本発明の第１応用例を示す流れ図である。
【図６】本発明のさらなる応用例を示す流れ図である。
【図７】本発明の第５実施形態による無線セルを示すブロック図である。
【発明を実施するための形態】
【００１９】
図１を参照すると、無線通信システムＲＣＳは、無線アクセス・ネットワークＲＡＮ、ネットワーク要素ＮＥ、および運用保守センタＯＭＣを含む。
【００２０】
無線アクセス・ネットワークＲＡＮは、第１マスタ基地局ＭＢＳ１、第２マスタ基地局ＭＢＳ２、第１スレーブ基地局ＳＢＳ１、第２スレーブ基地局ＳＢＳ２、および第１移動局ＭＳ１を含む。無線アクセス・ネットワークＲＡＮのさらなるマスタ基地局、スレーブ基地局、および移動局は、単純にするために図示されていない。
【００２１】
第１スレーブ基地局ＳＢＳ１は、第１無線セルＣ１に無線アクセスを提供する。第１マスタ基地局ＭＢＳ１は、第２無線セルＣ２に無線アクセスを提供する。第２マスタ基地局ＭＢＳ２は、第３無線セルＣ３に無線アクセスを提供する。第２スレーブ基地局ＳＢＳ２は、第４無線セルＣ４に無線アクセスを提供する。
【００２２】
第１無線セルＣ１は、第２無線セルＣ２および第３無線セルＣ３に隣接するかオーバーラップする。第４無線セルＣ４は、第２無線セルＣ２および第１無線セルＣ１に隣接するかオーバーラップする。
【００２３】
第１マスタ基地局ＭＢＳ１は、第１接続ＣＯＮ１を介して第１スレーブ基地局ＳＢＳ１に接続される。第２マスタ基地局ＭＢＳ２は、第２接続ＣＯＮ２を介して第１スレーブ基地局ＳＢＳ１に接続される。第１マスタ基地局ＭＢＳ１は、第３接続ＣＯＮ３を介して第２スレーブ基地局ＳＢＳ２に接続される。
【００２４】
基地局ＭＢＳ１、ＭＢＳ２、ＳＢＳ１、およびＳＢＳ２の間の接続ＣＯＮ１、ＣＯＮ２、およびＣＯＮ３は、たとえばワイヤ・ベースのリンク、ファイバ・ベースのリンク、または無線ベースのリンクを使用することによる任意の一般的な伝送技法に基づくものとすることができる。ワイヤ・ベースのリンクまたはファイバ・ベースのリンクを使用することによって、無線リソースが、基地局ＭＢＳ１、ＭＢＳ２、ＳＢＳ１、およびＳＢＳ２の間のシグナリングに浪費されなくなる。
【００２５】
第１移動局ＭＳ１は、第１無線セルＣ１、第２無線セルＣ２、および第４無線セルＣ４のオーバーラップ・エリア内に配置され、したがって、第１マスタ基地局ＭＢＳ１、第１スレーブ基地局ＳＢＳ１、および第２スレーブ基地局ＳＢＳ２からデータを受信することができる。
【００２６】
一般的な無線通信システム内と同様に、各基地局ＭＢＳ１、ＭＢＳ２、ＳＢＳ１、およびＳＢＳ２を、基地局のパラメータまたは機能をリモート・コントロールを介して調整できるようにするために、運用保守センタＯＭＣに接続することができる。
【００２７】
さらに、無線アクセス・ネットワークＲＡＮの基地局ＭＢＳ１、ＭＢＳ２、ＳＢＳ１、およびＳＢＳ２を、一般的な無線通信システム内と同様にネットワーク要素ＮＥに接続することができる。ネットワーク要素ＮＥは、たとえば、無線アクセス・ネットワークＲＡＮから来るか無線アクセス・ネットワークＲＡＮに向かうすべてのユーザ・データ・パケットがそれを介して転送されるデータ・ゲートウェイとすることができる。
【００２８】
第１マスタ基地局ＭＢＳ１および第２マスタ基地局ＭＢＳ２は、第１スレーブ基地局ＳＢＳ１のマスタ基地局である。マスタ基地局ＭＢＳ１とＭＳ２との両方が、第１スレーブ基地局ＳＢＳ１の無線リソース割当てドメインのリソースを制御する。さらに、第１マスタ基地局ＭＢＳ１は、第２スレーブ基地局ＳＢＳ２のマスタ基地局であり、その無線リソース割当てドメインのリソースを制御する。
【００２９】
図２に、本発明による第１ダウンリンク・フレームＤＦ１、第２ダウンリンク・フレームＤＦ２、および第３ダウンリンク・フレームＤＦ３の無線リソース割当てドメインを概略的に示す。
【００３０】
例示的に、ＯＦＤＭＡ無線通信システムのフレーム構造が選択され、ここで、横座標（ｘ座標）は、時間における記号のシーケンスを表し、縦座標（ｙ座標）は、各ダウンリンク・フレームＤＦ１、ＤＦ２、およびＤＦ３内のサブチャネル（周波数）における記号のシーケンスを表す。
【００３１】
代替案では、たとえばＴＤＭＡなど、他の無線通信システムのフレーム構造を使用することができる。
【００３２】
第１スレーブ基地局ＳＢＳ１に属するダウンリンク・フレームＤＦ１、第１マスタ基地局ＭＢＳ１に属する第２ダウンリンク・フレームＤＦ２、および第２マスタ基地局ＭＢＳ２に属する第３ダウンリンク・フレームＤＦ３は、縦座標に従って同一位置を有する。縦座標に従う同一位置は、ダウンリンク・フレームＤＦ１、ＤＦ２、およびＤＦ３が、同一周波数帯内の同一サブチャネルを用いて送信されることを意味する。
【００３３】
ダウンリンク・フレームＤＦ１、ＤＦ２、およびＤＦ３は、縦座標に従う同一位置ｔ０をも有する。これは、ダウンリンク・フレームＤＦ１、ＤＦ２、およびＤＦ３が、互いに同期化されることを意味する。同期化は、たとえば、ダウンリンク・フレームＤＦ１、ＤＦ２、およびＤＦ３を同一時点に第１移動局ＭＳ１に送信することによって実現することができる。基地局ＭＢＳ１、ＳＢＳ１、およびＳＢＳ２から第１移動局ＭＳ１へのわずかに異なる送信時刻を、第１移動局ＭＳ１内のさらなるデータ処理のための同期化されたダウンリンク・フレームを得るために第１移動局ＭＳ１内のより早いダウンリンク・フレームの短時間バッファリングによって第１移動局ＭＳ１内で補償することができる。
【００３４】
第１ダウンリンク・フレームＤＦ１は、横座標および縦座標に従う第１位置ＰＯＳ１を有する第１部分Ｐ１ならびに横座標および縦座標に従う第２位置ＰＯＳ２を有する第２部分Ｐ２と共に無線リソース割当てドメインを含む。第１ダウンリンク・フレームＤＦ１の第１部分Ｐ１および第２部分Ｐ２は、分離されている。
【００３５】
第１部分Ｐ１および第２部分Ｐ２を、第１ダウンリンク・フレームＤＦ１の内部の位置、サイズ、および形などのパラメータによって記述することができる。他のパラメータが可能である。サイズは、部分Ｐ１およびＰ２に割り当てられるリソースの総数を指定し、形は、第１ダウンリンク・フレームＤＦ１のどの記号およびサブチャネルが部分Ｐ１およびＰ２に割り当てられるのかを指定する。
【００３６】
第２ダウンリンク・フレームＤＦ２は、横座標および縦座標に従う第１位置ＰＯＳ１を有する第１部分Ｐ１を含む。
【００３７】
第３ダウンリンク・フレームＤＦ３は、横座標および縦座標に従う第２位置ＰＯＳ２を有する第２部分Ｐ２を含む。
【００３８】
第１マスタ基地局ＭＢＳ１は、第１部分Ｐ１を制御し、第２マスタ基地局ＭＢＳ２は、第１スレーブ基地局ＳＢＳ１の無線リソース割当てドメインの第２部分Ｐ２を制御する。制御は、無線リソース・ドメインの第１部分Ｐ１および第２部分Ｐ２が分離される形で実行される。
【００３９】
分離された部分Ｐ１およびＰ２の利益は、マスタ基地局ＭＢＳ１とＭＢＳ２との両方が無線リソース割当てドメインの同一リソースを割り当てる場合の、第１スレーブ基地局ＳＢＳ１での衝突の回避である。そのような衝突は、第１スレーブ基地局ＳＢＳ１での総データ・レートを減らすはずである。さらに、衝突状況の回避は、衝突を克服するためのメッセージのシグナリングをも回避する。
【００４０】
第１ダウンリンク・フレームＤＦ１の第１部分Ｐ１は、第１フレーム・レイアウトＦＬ１に従って第１ダウンリンク・データＤＤ１を含むことができ、第１ダウンリンク・フレームＤＦ１の第２部分Ｐ２は、第２フレーム・レイアウトＦＬ２に従って第２ダウンリンク・データＤＤ２を含むことができる。
【００４１】
第１フレーム・レイアウトＦＬ１および第２フレーム・レイアウトＦＬ２は、パラメータすなわち、マスタ基地局が本発明に従ってスケジューリングしつつある１つまたは複数のダウンリンク・フレームの識別と、第１ダウンリンク・フレームＤＦ１の内部の部分Ｐ１およびＰ２に使用される位置、サイズ、形、およびコーディング方式と、部分Ｐ１およびＰ２の内部のすべてのＭＡＣ  ＰＤＵ（ＭＡＣ＝媒体アクセス制御、ＰＤＵ＝プロトコル・データ単位）の情報とのうちの複数またはすべてを含む。すべてのＭＡＣ  ＰＤＵの情報は、対応するアクセス・ネットワーク・パケットのバイト数、長さ、接続識別子、位置、および参照番号を含むことができるが、これらに限定はされない。
【００４２】
部分Ｐ１とＰ２との両方が、すべてのダウンリンク・フレームＤＦ１、ＤＦ２、およびＤＦ３内で第１ダウンリンク・データＤＤ１および第２ダウンリンク・データＤＤ２を充てんされることは、要求されない。
【００４３】
第１フレーム・レイアウトＦＬ１または第２フレーム・レイアウトＦＬ２は、第１部分Ｐ１もしくは第２部分Ｐ２のすべてのリソースまたはそのリソースの一部のみをカバーすることができる。例示的に、図２では、第１フレーム・レイアウトＦＬ１は、第１部分Ｐ１のすべてのリソースを含んではいないが、第２フレーム・レイアウトＦＬ２は、第２部分Ｐ２のすべてのリソースを含む。フレーム・レイアウトＦＬ１およびＦＬ２への記号およびサブチャネルの割当てを、マスタ基地局によって任意に選択することができる。
【００４４】
第１ダウンリンク・フレームＤＦ１は、第１部分Ｐ１の内部であるが第１フレーム・レイアウトＦＬ１の外部の、または第２部分Ｐ２の内部であるが第２フレーム・レイアウトＦＬ２の外部の、第３ダウンリンク・データＤＤ３をさらに含むことができる。部分Ｐ１、Ｐ２の内部であるがフレーム・レイアウトＦＬ１、ＦＬ２の外部である無線リソースは、第１スレーブ基地局ＳＢＳ１によって制御される。
【００４５】
第３ダウンリンク・データＤＤ３を第１部分Ｐ１または第２部分Ｐ２内に充てんすることによって、第１または第２のフレーム・レイアウトＦＬ１およびＦＬ２のために使用されるのではない第１部分Ｐ１および第２部分Ｐ２の無線リソースが、浪費されず、これは、第１スレーブ基地局ＳＢＳ１の総データ・レートを高める。
【００４６】
第１ダウンリンク・フレームＤＦ１は、第１部分Ｐ１の外部であり第２部分Ｐ２の外部である第４ダウンリンク・データＤＤ４をさらに含むことができる。部分Ｐ１およびＰ２の外部の無線リソースは、第１スレーブ基地局ＳＢＳ１によって制御される。
【００４７】
第１または第２の部分Ｐ１およびＰ２によって使用されない第１ダウンリンク・フレームＤＦ１の領域に第４ダウンリンク・データＤＤ４を充てんすることによって、第１または第２のフレーム・レイアウトＦＬ１およびＦＬ２のために使用されない第１ダウンリンク・フレームＤＦ１の無線リソースが、浪費されず、これは、第１スレーブ基地局ＳＢＳ１の総データ・レートをさらに高めることができる。
【００４８】
図３を参照すると、本発明の第１実施形態による方法Ｍ１の流れ図が示されている。
【００４９】
第１ステップＭ１／１で、運用保守センタＯＭＣは、マスタ基地局ＭＢＳ１およびＭＢＳ２によって制御される部分Ｐ１およびＰ２に従って無線リソース割当てドメインの区分を変更する。運用保守センタＯＭＣの代わりに、たとえばＵＭＴＳ内のＳＧＳＮ（Ｓｅｒｖｉｎｇ  ＧＰＲＳ  Ｓｕｐｐｏｒｔ  Ｎｏｄｅ）またはＭＳＣ（Ｍｏｂｉｌｅ  Ｓｗｉｔｃｈｉｎｇ  Ｃｅｎｔｅｒ）などの制御機能を有する無線通信システムＲＣＳ内の他のネットワーク要素も、部分Ｐ１およびＰ２の区分変更に使用することができる。
【００５０】
この変更を、たとえば部分Ｐ１およびＰ２の新しい位置、新しいサイズ、および／または新しい形などの新しいパラメータを決定することによって実行することができる。部分Ｐ１およびＰ２への記号およびサブチャネルの割当てを、部分Ｐ１およびＰ２がダウンリンク・フレームＤＦ１、ＤＦ２、およびＤＦ３の無線リソース割当てドメイン内で分離されなければならないという要件を伴って、運用保守センタＯＭＣによって任意に選択することができる。
【００５１】
次のステップＭ１／２では、運用保守センタＯＭＣが、第１部分Ｐ１の新しいパラメータを第１メッセージＭＥＳ１内で第１マスタ基地局ＭＢＳ１に送信する。
【００５２】
さらなるステップＭ１／３では、第１マスタ基地局ＭＢＳ１が、第１メッセージＭＥＳ１内で受信された新しいパラメータに従って第１部分Ｐ１を調整し、その形で、第１マスタ基地局ＭＢＳ１に割り当てられたすべてのスレーブ基地局の無線リソース割当てドメインの第１部分Ｐ１を制御する。
【００５３】
次のステップＭ１／４では、運用保守センタＯＭＣが、第２部分Ｐ２の新しいパラメータを第２メッセージＭＥＳ２内で第２マスタ基地局ＭＢＳ２に送信する。
【００５４】
さらなるステップＭ１／５では、第２マスタ基地局ＭＢＳ２が、第２メッセージＭＥＳ２内で受信された新しいパラメータに従って第２部分Ｐ２を調整し、その形で、第２マスタ基地局ＭＢＳ２に割り当てられたすべてのスレーブ基地局の無線リソース割当てドメインの第２部分Ｐ２を制御する。
【００５５】
方法Ｍ１を実行するステップのシーケンスおよび個数は、クリティカルではなく、当業者が理解できるように、これらのステップのシーケンスおよび個数は、本発明の範囲から逸脱せずに変更され得る。
【００５６】
運用保守センタＯＭＣによる所定の時間間隔での第１部分Ｐ１および第２部分Ｐ２のパラメータの決定の利益は、より長い時間スケール、たとえば多数のダウンリンク・フレームにわたって第１マスタ基地局ＭＢＳ１および第２マスタ基地局ＭＢＳ２を介して送信されるデータ・トラフィックの量に第１部分Ｐ１および第２部分Ｐ２を適合させる可能性である。
【００５７】
第１部分Ｐ１および第２部分Ｐ２のパラメータの決定を、運用保守センタＯＭＣに類似する追加の管理するネットワーク要素を使用しない他のネットワーク・プロシージャによって行うこともできる。もう１つの可能性は、たとえば、マスタ基地局ＭＢＳ１およびＭＢＳ２自体によるパラメータの変更である。
【００５８】
図４を参照すると、本発明の第２実施形態による方法Ｍ２の流れ図が示されている。
【００５９】
第１ステップＭ２／１では、第１マスタ基地局ＭＢＳ１は、無線リソース割当てドメインの第１部分Ｐ１を変更することを望み、第１部分Ｐ１の新しいパラメータを決定する。変更の理由は、短い時間フレーム内の第１マスタ基地局ＭＢＳ１を介するデータ・トラフィックの変化とすることができる。
【００６０】
次のステップＭ２／２では、第１マスタ基地局ＭＢＳ１が、要求を第３メッセージＭＥＳ３内で第２マスタ基地局ＭＢＳ２に送信して、第１部分Ｐ１の変更を調整する。
【００６１】
さらなるステップＭ２／３では、第２マスタ基地局ＭＢＳ２は、新しいパラメータによって記述される第１部分Ｐ１が、第２マスタ基地局ＭＢＳ２によって現在制御されている第２部分Ｐ２とオーバーラップせず、分離されているかどうかを検証する。
【００６２】
次のステップＭ２／４では、第２マスタ基地局ＭＢＳ２は、新しい第１部分Ｐ１を受け入れることができ、第１部分Ｐ１の新しいパラメータを変更することができ、あるいは第１部分Ｐ１および第２部分Ｐ２が分離されなければならないという要件と共に新しい第１部分Ｐ１に従って第２部分Ｐ２のパラメータを変更することができる。
【００６３】
さらなるステップＭ２／５では、第２マスタ基地局ＭＢＳ２は、回答を第４メッセージＭＥＳ４内で第１マスタ基地局ＭＢＳ１に送信する。この回答は、たとえば、新しい第１部分Ｐ１の肯定応答または第２マスタ基地局ＭＢＳ２によって決定された第１部分Ｐ１の新しいパラメータを含むことができる。
【００６４】
次のステップＭ２／６では、第１マスタ基地局ＭＢＳ１が、第２マスタ基地局ＭＢＳ２の回答を検証する。
【００６５】
この検証の結果に応じて、さらなるステップＭ２／７では、第１マスタ基地局ＭＢＳ１は、必要に応じて第１部分Ｐ１を制御し、第２マスタ基地局ＭＢＳ２によって変更された第１部分Ｐ１を制御し、あるいは新しい要求を第２マスタ基地局ＭＢＳ２に送信することができる。
【００６６】
方法Ｍ２が、第２マスタ基地局ＭＢＳ２で開始し、終了することもできることは自明である。さらに、方法Ｍ２を実行するステップのシーケンスおよび個数は、クリティカルではなく、当業者が理解できるように、これらのステップのシーケンスおよび個数は、本発明の範囲から逸脱せずに変更され得る。
【００６７】
マスタ基地局ＭＢＳ１、ＭＢＳ２自体による所定の時間間隔での第１部分Ｐ１および第２部分Ｐ２のパラメータの決定の利益は、より短い時間スケール、たとえば少数のダウンリンク・フレームのみにわたって第１マスタ基地局ＭＢＳ１および第２マスタ基地局ＭＢＳ２を介して送信される現在のデータ・トラフィックの量に第１部分Ｐ１および第２部分Ｐ２を適応させる可能性である。
【００６８】
第１部分Ｐ１および第２部分Ｐ２のパラメータを、マスタ基地局ＭＢＳ１およびＭＢＳ２で実行される自己構成機構および自己最適化機構によって決定することも可能である。その形で、部分Ｐ１およびＰ２を、シグナリング・メッセージを全く使用せずに変更することができる。
【００６９】
少なくとも２つの制御される分離された部分Ｐ１およびＰ２に関する本発明の基本的な発想を、異なる応用シナリオに使用することができる。応用の一部を、次でより詳細に説明する。
【００７０】
図５を参照すると、本発明の第１応用例による方法Ｍ３の流れ図が示されている。
【００７１】
第１ステップＭ３／１では、第１マスタ基地局ＭＢＳ１が、第１ダウンリンク・データＤＤ１を無線通信システムＲＣＳのバックボーンを介して受信する。
【００７２】
さらなるステップＭ３／２では、第１マスタ基地局ＭＢＳ１が、第１ダウンリンク・データＤＤ１を第２ダウンリンク・フレームＤＦ２の第１部分Ｐ１にスケジューリングする。
【００７３】
次のステップＭ３／３では、第１マスタ基地局ＭＢＳ１が、第１ダウンリンク・データＤＤ１を有する第２ダウンリンク・フレームＤＦ２を第１移動局ＭＳ１に送信する。
【００７４】
次のステップＭ３／４では、第１マスタ基地局ＭＢＳ１が、追加の第１ダウンリンク・データＤＤ１＿１を無線通信システムＲＣＳのバックボーンを介して受信する。
【００７５】
さらなるステップＭ３／５では、第１マスタ基地局ＭＢＳ１が、第１移動局ＭＳ１のハンドオーバーを開始する。ハンドオーバーは、通常、移動局が無線セルの境界にあり、近傍基地局がその移動局とユーザ・データを交換するのにより適する場合に実行される。
【００７６】
次のステップＭ３／６では、第１マスタ基地局ＭＢＳ１が、無線リソース割当てドメインの第１部分Ｐ１にマッピングされる追加の第１ダウンリンク・データＤＤ１＿１の第１フレーム・レイアウトＦＬ１を決定する。
【００７７】
さらなるステップＭ３／７では、第１マスタ基地局ＭＢＳ１が、第１フレーム・レイアウトＦＬ１を第５メッセージＭＥＳ５を介して第１スレーブ基地局ＳＢＳ１に送信する。
【００７８】
次のステップＭ３／８では、第１マスタ基地局ＭＢＳ１が、追加の第１ダウンリンク・データＤＤ１＿１を第１スレーブ基地局ＳＢＳ１に転送する。
【００７９】
さらなるステップＭ３／９では、第１スレーブ基地局ＳＢＳ１が、第１フレーム・レイアウトＦＬ１に従って第１ダウンリンク・フレームＤＦ１の第１部分Ｐ１に追加の第１ダウンリンク・データＤＤ１＿１をスケジューリングする。
【００８０】
次のステップＭ３／１０では、第１スレーブ基地局ＳＢＳ１が、追加の第１ダウンリンク・データＤＤ１＿１を有する第１ダウンリンク・フレームＤＦ１を第１移動局ＭＳ１に送信する。
【００８１】
方法Ｍ３を実行するステップのシーケンスおよび個数は、クリティカルではなく、当業者が理解できるように、これらのステップのシーケンスおよび個数は、本発明の範囲から逸脱せずに変更され得る。
【００８２】
方法Ｍ３を、第１移動局ＭＳ１が無線アクセス・ネットワークＲＡＮ内で移動する場合に、第１マスタ基地局ＭＢＳ１から第１スレーブ基地局ＳＢＳ１へのハード・ハンドオーバーに使用することができる。ハード・ハンドオーバーは、第１移動局ＭＳ１が、ハード・ハンドオーバーの前に、ユーザ・データを受信するか送信するために第１マスタ基地局ＭＢＳ１への無線リンクだけを初めて使用する場合のプロセスである。２回目に、ハード・ハンドオーバー中に、第１移動局ＭＳ１は、第１マスタ基地局ＭＢＳ１への無線リンクを解放し、その後、これより先にユーザ・データを受信するか送信するために第１スレーブ基地局ＳＢＳ１への新しい無線リンクを確立する。
【００８３】
方法Ｍ３の主な利益は、第１スレーブ基地局ＳＢＳ１が第１移動局ＭＳ１への追加の第１ダウンリンク・データＤＤ１＿１の送信を開始する時点を、第１マスタ基地局ＭＢＳ１によって制御する可能性である。その形で、ユーザ・データの送信中断を最小にすることができ、特に、リアル・タイム・サービスは、パケット・シーケンスの大きい中断をこうむらなくなる。
【００８４】
２つの無線セルの間のオーバーラップ・エリアでのハンドオーバー・プロシージャの場合には、ダウンリンク・データフローを２つの基地局を介して１つの移動局にバイキャスト（ｂｉｃａｓｔ）することも可能である。その場合に、第１マスタ基地局ＭＢＳ１と第１移動局ＭＳ１との間の無線リンクは、ハンドオーバーが終了するまで解放されない。これは、同一のダウンリンク・フローがマクロ・ダイバーシティによって異なる基地局にまたがって拡散される、ＵＭＴＳ（ＵＭＴＳ＝ｕｎｉｖｅｒｓａｌ  ｍｏｂｉｌｅ  ｔｅｌｅｃｏｍｍｕｎｉｃａｔｉｏｎ  ｓｙｓｔｅｍ）で使用されるソフト・ハンドオーバー・プロシージャに類似する。
【００８５】
第１移動局ＭＳ１がどのスレーブ基地局に移動するのかを予見できない場合に、第１マスタ基地局ＭＢＳ１から第１スレーブ基地局ＳＢＳ１および第２スレーブ基地局ＳＢＳ２へのマルチキャストを介して第１フレーム・レイアウトＦＬ１および追加の第１ダウンリンク・データＤＤ１＿１を送信することによって、方法Ｍ３を拡張することができる。その形で、ユーザ・データのより長い送信中断を回避することができる。
【００８６】
図６を参照すると、本発明のさらなる応用例による方法Ｍ４の流れ図が示されている。本発明の第１応用例で実行されるステップＭ３／１、Ｍ３／６、Ｍ３／７、Ｍ３／９、およびＭ３／１０に加えて、本発明のさらなる応用では、次のステップＭ４／１が、ステップＭ３／８の前に実行され、ステップＭ４／２が、ステップＭ３／６の後に実行され、ステップＭ４／３が、ステップＭ３／９と同時に実行される。
【００８７】
方法Ｍ３と比較して、方法Ｍ４では、第１スレーブ基地局ＳＢＳ１は、第１マスタ基地局ＭＢＳ１を介して第１ダウンリンク・データＤＤ１を受信するのではなく、さらなるステップＭ４／１で、ネットワーク要素ＮＥから第１ダウンリンク・データＤＤ１のコピーを受信する。
【００８８】
次のステップＭ４／２では、第１マスタ基地局ＭＢＳ１が、第１フレーム・レイアウトＦＬ１に従って第２ダウンリンク・フレームＤＦ２の第１部分Ｐ１に第１ダウンリンク・データＤＤ１をスケジューリングする。その形で、第１部分Ｐ１は、第１ダウンリンク・フレームＤＦ１および第２ダウンリンク・フレームＤＦ２の同一の領域に配置される。
【００８９】
さらなるステップＭ４／３では、第１マスタ基地局ＭＢＳ１が、第１ダウンリンク・フレームＤＦ１に同期化された第２ダウンリンク・フレームＤＦ２を第１移動局ＭＳ１に送信し、第１ダウンリンク・フレームＤＦ１は、第１スレーブ基地局ＳＢＳ１によって第１の所定の時刻に送信される。
【００９０】
方法Ｍ４を実行するステップのシーケンスおよび個数は、クリティカルではなく、当業者が理解できるように、これらのステップのシーケンスおよび個数は、本発明の範囲から逸脱せずに変更され得る。
【００９１】
第１マスタ基地局ＭＢＳ１および第１スレーブ基地局ＳＢＳ１から第１移動局ＭＳ１へのそのようなマルチキャスト伝送を使用することによって、第１移動局ＭＳ１は、１つの基地局から移動局への単一無線リンクの使用と比較してより少数の伝送誤りを伴って第１ダウンリンク・データＤＤ１を受信する。空間内で異なる伝送経路を有するマルチキャスト伝送の場合に、第１移動局ＭＳ１への送信の総データ・レートは、フェージング効果またはシャドウイング効果によって引き起こされる伝送誤りに関するより高い確率を有する単一無線リンクの場合と比較して、単一のフェージング効果またはシャドウイング効果に対してより鈍感である。したがって、マルチキャスト伝送は、無線アクセス・ネットワークＲＡＮから第１移動局ＭＳ１への総データ・レートを高めることができる。
【００９２】
現在、ＯＦＤＭＡ伝送技法は、しばしば、追加の周波数スペクトルを使用せずに無線通信システムのスループットを高めるために、ＭＩＭＯ伝送技法またはＭＩＳＯ伝送技法（ＭＩＳＯ＝ｍｕｌｔｉｐｌｅ  ｉｎｐｕｔ  ｓｉｎｇｌｅ  ｏｕｔｐｕｔ）と組み合わされる。さらに、複数アンテナ・システムを、協調ＭＩＭＯ伝送方式またはｃｏｌｌａｂｏｒａｔｉｖｅ  ＭＩＳＯ伝送方式のために複数の基地局にまたがって拡散させることができる。
【００９３】
したがって、本発明の代替応用例では、第１ダウンリンク・フレームＤＦ１と第２ダウンリンク・フレームＤＦ２との両方が、協調ＭＩＭＯモードまたはｃｏｌｌａｂｏｒａｔｉｖｅ  ＭＩＳＯモードで第１移動局ＭＳ１に送信される。協調ＭＩＭＯと組み合わせて本発明を使用することによって、ＭＩＭＯチャネルの伝送効率をさらに改善することができる。
【００９４】
特定のマスタ基地局によって制御される特定の協調ＭＩＭＯドメイン内では、ユーザ・データまたはシグナリング・データを、その特定の協調ＭＩＭＯドメイン内に配置されたすべての移動局に分配することができる。その場合に、特定のマスタ基地局は、本発明のさらなる代替応用例で、フレーム・レイアウトをマルチキャストの形でその特定の協調ＭＩＭＯドメインに属するすべてのスレーブ基地局に送信することができる。
【００９５】
そのようなマルチキャスト伝送の利益は、たとえば第１マスタ基地局ＭＢＳ１から第１スレーブ基地局ＳＢＳ１および第２スレーブ基地局ＳＢＳ２への接続ＣＯＮ１およびＣＯＮ３での、リソースの節約である。そうでなければ、同一のペイロードを有する２つのシグナリング・メッセージを、第１マスタ基地局ＭＢＳ１から第１スレーブ基地局ＳＢＳ１および第２スレーブ基地局ＳＢＳ２に送信しなければならない。
【００９６】
無線アクセス・ネットワーク内の無線セルの配置ならびに本発明による無線アクセス・ネットワークの基地局へのマスタ機能およびスレーブ機能の割当てに応じて、移動局を、スレーブ基地局と２つのマスタ基地局とのオーバーラップ・エリア内に配置することができる。そのようなコンステレーションでは、本発明を使用して、第１ダウンリンク・データＤＤ１および第２ダウンリンク・データＤＤ２を有する第１ダウンリンク・フレームＤＦ１を第１スレーブ基地局ＳＢＳ１から、第１ダウンリンク・データＤＤ１を有する第２ダウンリンク・フレームＤＦ２を第１マスタ基地局ＭＢＳ１から、第２ダウンリンク・データＤＤ２を有する第３ダウンリンク・フレームＤＦ３を第２マスタ基地局ＭＢＳ２から、同期化されて第２の事前定義の時刻に第１移動局ＭＳ１に送信することができる。
【００９７】
このプロシージャは、第１移動局ＭＳ１が、データ衝突なしに同時に単一のダウンリンク・フレームＤＦ１によって２つの隣接する協調ＭＩＭＯドメインの第１ダウンリンク・データＤＤ１および第２ダウンリンク・データＤＤ２を受信することができ、データ定常性を改善するために第２ダウンリンク・フレームＤＦ２内の第１ダウンリンク・データＤＤ１および第３ダウンリンク・フレームＤＦ３内の第２ダウンリンク・データＤＤ２を同時に受信することもできるという利益を提供する。
【００９８】
図７を参照すると、無線アクセス・ネットワークＲＡＮの無線セルの配置ならびにマスタ機能およびスレーブ機能の割当ての例が、六角形無線セル・グリッドの特殊事例について示されている。配置ならびにマスタ機能およびスレーブ機能の割当ての基本構造は、第１マスタ基地局ＭＢＳ１および第２マスタ基地局ＭＢＳ２の無線セルならびに第３マスタ基地局ＭＢＳ３の無線セルが、異なるスレーブ基地局に属する６つまでの無線セルによって囲まれることである。具体的に言うと、無線アクセス・ネットワークＲＡＮの境界で、マスタ基地局を、６つ未満の近傍スレーブ基地局によって囲むことができる。
【００９９】
第１協調ＭＩＭＯドメインＣＭＤ１の基地局の第１グループは、第１マスタ基地局ＭＢＳ１、第１スレーブ基地局ＳＢＳ１、第２スレーブ基地局ＳＢＳ２、第８スレーブ基地局ＳＢＳ８、第６スレーブ基地局ＳＢＳ６、第７スレーブ基地局ＳＢＳ７、および第３スレーブ基地局ＳＢＳ３を含む。
【０１００】
第２協調ＭＩＭＯドメインＣＭＤ２の基地局の第２グループは、第２マスタ基地局ＭＢＳ２、第１スレーブ基地局ＳＢＳ１、第４スレーブ基地局ＳＢＳ４、第１１スレーブ基地局ＳＢＳ１１、第１５スレーブ基地局ＳＢＳ１５、第１４スレーブ基地局ＳＢＳ１４、および第５スレーブ基地局ＳＢＳ５を含む。
【０１０１】
第３協調ＭＩＭＯドメインＣＭＤ３の基地局の第３グループは、第３マスタ基地局ＭＢＳ３、第２スレーブ基地局ＳＢＳ２、第５スレーブ基地局ＳＢＳ５、第１３スレーブ基地局ＳＢＳ１３、第１２スレーブ基地局ＳＢＳ１２、第１０スレーブ基地局ＳＢＳ１０、および第９スレーブ基地局ＳＢＳ９を含む。
【０１０２】
各スレーブ基地局の各無線セルは、他のスレーブ基地局に属する４つまでの無線セルおよびマスタ基地局に属する２つまでの無線セルによって囲まれる。具体的に言うと、無線アクセス・ネットワークＲＡＮの境界で、スレーブ基地局を、４つ未満の近傍スレーブ基地局および２つ未満のマスタ基地局によって囲むことができる。
【０１０３】
第１スレーブ基地局ＳＢＳ１に従って、第１マスタ基地局ＭＢＳ１および第２マスタ基地局ＭＢＳ２に属する２つの無線セルが、第１スレーブ基地局ＳＢＳ１の無線セルの反対のサイトに配置される。
【０１０４】
３つの協調ＭＩＭＯドメインＣＭＤ１、ＣＭＤ２、およびＣＭＤ３のそのような配置を使用することと、これを無線アクセス・ネットワークＲＡＮ全体を通じて繰り返して配置することとによって、無線アクセス・ネットワークＲＡＮのすべての無線セルが、３つの協調ＭＩＭＯドメインＣＭＤ１、ＣＭＤ２、およびＣＭＤ３のうちの１つに割り当てられる。
【０１０５】
３つの異なる協調ＭＩＭＯドメインＣＭＤ１、ＣＭＤ２、およびＣＭＤ３を有する無線アクセス・ネットワークＲＡＮ内で使用されるすべてのダウンリンク・フレームは、第１協調ＭＩＭＯドメインＣＭＤ１の第１部分Ｐ１、第２協調ＭＩＭＯドメインＣＭＤ２の第２部分Ｐ２、および第３協調ＭＩＭＯドメインＣＭＤ３の第３部分Ｐ３内で分割される。
【０１０６】
移動局が、第１位置ＬＯＣ１に配置される場合には、第１スレーブ基地局ＳＢＳ１の第１ダウンリンク・フレームＤＦ１は、第１マスタ基地局ＭＢＳ１および第２マスタ基地局ＭＢＳ２に従って２つの部分Ｐ１およびＰ２を含む。
【０１０７】
移動局が、第２位置ＬＯＣ２に配置される場合には、第５スレーブ基地局ＳＢＳ５の第４ダウンリンク・フレームは、第２マスタ基地局ＭＢＳ２および第３マスタ基地局ＭＢＳ３に従って２つの部分Ｐ２およびＰ３を含む。
【０１０８】
移動局が、第２位置ＬＯＣ３に配置される場合には、第２スレーブ基地局ＳＢＳ２の第５ダウンリンク・フレームは、第１マスタ基地局ＭＢＳ１および第３マスタ基地局ＭＢＳ３に従って２つの部分Ｐ１およびＰ３を含む。
【０１０９】
移動局が、第３位置ＬＯＣ４に配置される場合には、第４スレーブ基地局ＳＢＳ４の第６ダウンリンク・フレームは、第２マスタ基地局ＭＢＳ２および第４マスタ基地局ＭＢＳ４に従って２つの部分Ｐ２およびＰ３を含む。これは、第２位置ＬＯＣ２の第４ダウンリンク・フレームと等しい。
【０１１０】
両方が第３協調ＭＩＭＯドメインＣＭＤ３に従って基地局の異なるグループ内の第３部分Ｐ３を制御する第３マスタ基地局ＭＢＳ３および第４マスタ基地局ＭＢＳ４は、均一な形で第３部分Ｐ３を制御することができる。これは、第３部分Ｐ３が、たとえばダウンリンク・フレーム内の位置、サイズ、および形に関する、同一のパラメータによって与えられることを意味する。第３マスタ基地局ＭＢＳ３および第４マスタ基地局ＭＢＳ４によって制御される第３部分Ｐ３が、異なる形であるが、第３部分Ｐ３が第２マスタ基地局ＭＢＳ２によって制御される第２部分Ｐ２から分離されなければならないという要件を両方が用いて、第３部分Ｐ３を制御することも、可能である。
【０１１１】
部分Ｐ１、Ｐ２、およびＰ３によって使用されないリソース割当てドメインの残りのリソースを、協調ＭＩＭＯ伝送を使用しない移動局、たとえば基地局の近くに配置された移動局のために使用することができる。
【０１１２】
本発明を、任意の無線セル・グリッド配置に使用することができ、本発明は、３つの協調ＭＩＭＯドメインＣＭＤ１、ＣＭＤ２、およびＣＭＤ３ならびにそれらを基地局のグループに繰り返して割り当てることの使用には制限されない。これは、たとえば、スレーブ基地局が、異なるマスタ基地局に属する３つ以上の近傍無線セルを有することができ、あるいは、無線アクセス・ネットワークＲＡＮが４つ以上の繰り返して割り当てられる協調ＭＩＭＯドメインに分割されることも可能であることを意味する。これは、ダウンリンク・フレームを４つ以上の部分に分割できることをも意味する。
【図１】
0005319779.tif 000002
【図２】
0005319779.tif 000003
【図３】
0005319779.tif 000004
【図４】
0005319779.tif 000005
【図５】
0005319779.tif 000006
【図６】
0005319779.tif 000007
【図７】
0005319779.tif 000008